(57)【要約】【課題】  小型、かつ低挿入力で防水機能を備えたレバー嵌合式防水コネクタを提供する。【解決手段】  嵌合フード部２を有する雌コネクタ３と、嵌合フード部２に嵌合される雄コネクタ本体４を有する雄コネクタ５と、雄コネクタ５に回動自在に設けられて回動により雄コネクタ５と雌コネクタ３とを嵌合離脱させるレバー６と、雄コネクタ５と嵌合フード部２との間に設けられてこれらの間をシールするシール部材とを備えたレバー嵌合式防水コネクタ１において、雄コネクタ本体４の外周に嵌合フード部２への雄コネクタ本体４の嵌合状態で嵌合フード部２を覆う防水フード部８を設け、この防水フード部８の外側面にレバー６を回動自在に設け、レバー６に防水フード部８を貫通して雄コネクタ本体４側に突出する支点突起９を設け、雌コネクタ３の嵌合フード部２に支点突起９が係止される支点係止部１０を設けた。【選択図】      図２
2005122942.tif 000002
【特許請求の範囲】
【請求項１】
嵌合フード部を有する雌コネクタと、前記嵌合フード部に嵌合される雄コネクタ本体を有する雄コネクタと、雄コネクタに回動自在に設けられて回動により雄コネクタと雌コネクタとを嵌合離脱させるレバーと、前記雄コネクタと前記嵌合フード部との間に設けられてこれらの間をシールするシール部材とを備えたレバー嵌合式防水コネクタであって、
前記雄コネクタ本体の外周に前記嵌合フード部への前記雄コネクタ本体の嵌合状態で嵌合フード部を覆う防水フード部を設け、
この防水フード部の外側面に前記レバーを回動自在に設け、
前記レバーに前記防水フード部を貫通して前記雄コネクタ本体側に突出する支点突起を設け、
前記雌コネクタの嵌合フード部に前記支点突起が係止される支点係止部を設けたことを特徴とするレバー嵌合式防水コネクタ。
【請求項２】
請求項１記載のレバー嵌合式防水コネクタであって、
前記防水フード部の外側面から回動支軸を突設し、
該回動支軸が挿入される長孔状の回動孔を前記レバーに設け、
前記レバーに前記防水フード部を貫通して前記雄コネクタ本体側に突出するスライド誘導突起を設け、
前記雌コネクタの嵌合フード部に前記スライド誘導突起が当接案内されて前記レバーを嵌合方向と交差する方向へスライドさせるスライド当接用突起を設けたことを特徴とするレバー嵌合式防水コネクタ。
【請求項３】
請求項１又は請求項２記載のレバー嵌合式防水コネクタであって、
前記支点係止部が、前記嵌合フード部への前記雄コネクタ本体の挿入嵌合時に係止する挿入用支点係止突起と、前記嵌合フード部から雄コネクタの離脱時に係止する離脱用支点係止突起とからなることを特徴とするレバー嵌合式防水コネクタ。
【請求項４】
請求項１乃至請求項３のいずれか一項に記載のレバー嵌合式防水コネクタであって、
前記回動支軸を前記嵌合フード部の全長の中心に対して左右対称位置にそれぞれ設け、前記レバーが係止する部位を前記嵌合フード部の全長の中心に対して左右対称位置にそれぞれ設けて、前記レバーを一方の回動支軸に回転自在に支持した第１の取り付け位置と、他方の回動支軸に回転自在に支持した第２の取り付け位置とに選択的に取り付け可能としたことを特徴とするレバー嵌合式防水コネクタ。
【請求項５】
請求項１記載のレバー嵌合式防水コネクタであって、
前記防水フード部の外側面から回動支軸を前記嵌合フード部の全長に対して左右対称位置にそれぞれ設け、
前記回動支軸のいずれか一方が挿入されることによりレバーを防水フード部に回転自在に支持する第１の回動孔と前記回動支軸のいずれか他方が挿入されることによりレバーを嵌合方向と交差する方向へスライドさせるレバースライド機能を備えた第２の回動孔とをレバーに設けたことを特徴とするレバー嵌合式防水コネクタ。
【発明の詳細な説明】
【技術分野】
【０００１】
本発明は、雄コネクタに設けたレバーを回動させることにより雄コネクタを雌コネクタに嵌合させるとともに防水機能を有するレバー嵌合式防水コネクタに関する。
【背景技術】
【０００２】
従来のレバー嵌合式コネクタとして特許文献１、特許文献２に記載されているものが提案されている。これらの特許文献１、２に記載されているレバー嵌合式のコネクタは、嵌合フード部を有する雌コネクタと、嵌合フード部に嵌合・離脱される雄コネクタ本体を有する雄コネクタと、嵌合フード部の内壁あるいは雄コネクタの外周に回動自在に支持され回動することにより、雄コネクタ本体を嵌合フード部に嵌合し、あるいは嵌合フード部内から雄コネクタ本体を離脱させるレバーとから形成されている。
【０００３】
そして、雌コネクタに収容されている雄端子と、雄コネクタに収容されている雌端子とを、嵌合フード部に雄コネクタ本体を嵌合させることで接続し、嵌合フード部から雄コネクタ本体を離脱することでこれらの端子の接続を解除する。この場合、レバーによるてこの原理により、雌コネクタに雄コネクタを挿入する挿入力を低減することができる。
【０００４】
ところで、このようなレバー嵌合式コネクタにおいて、上記雌雄の端子の防水機能を持たせる場合には、雄コネクタ本体の外周面と嵌合フード部の内周面との間にシール部材を介在させると共に、雌コネクタのフード部の外側、雄コネクタ本体の外側（レバーの外側）にそれぞれ防水フード部を設けて、嵌合フード部と雄コネクタ本体との嵌合部位を覆う必要がある。
【特許文献１】特開２００２−２８０１１１号
【特許文献２】特開２００２−３５９０２８号
【発明の開示】
【発明が解決しようとする課題】
【０００５】
ところが、上記のように、レバー嵌合式コネクタに防水機能を持たせる構造とするために、雄コネクタ、雌コネクタにそれぞれ防水フード部を設けると、防水フード部の厚み分だけレバー嵌合式コネクタの厚みが増し、大型化してしまうという問題がある。
【０００６】
また、他のレバー構造のコネクタとして回転タイプや、スライドタイプのレバー嵌合式コネクタで防水機能を持たせると、これらのタイプのコネクタは嵌合荷重を低減させる効果（低挿入力効果）のロスが大きいため、自ずとレバーが大型になったり、レバーの回動スペース（力点移動量）が増えて、その結果車両への搭載スペースが大きくなる。
【０００７】
そこで、本発明は、小型、かつ低挿入力で防水機能を備えたレバー嵌合式防水コネクタの提供を目的とする。
【課題を解決するための手段】
【０００８】
上記目的を達成するため、請求項１の発明は、嵌合フード部を有する雌コネクタと、前記嵌合フード部に嵌合される雄コネクタ本体を有する雄コネクタと、雄コネクタに回動自在に設けられて回動により雄コネクタと雌コネクタとを嵌合離脱させるレバーと、前記雄コネクタと前記嵌合フード部との間に設けられてこれらの間をシールするシール部材とを備えたレバー嵌合式防水コネクタであって、前記雄コネクタ本体の外周に前記嵌合フード部への前記雄コネクタ本体の嵌合状態で嵌合フード部を覆う防水フード部を設け、この防水フード部の外側面に前記レバーを回動自在に設け、前記レバーに前記防水フード部を貫通して前記雄コネクタ本体側に突出する支点突起を設け、前記雌コネクタの嵌合フード部に前記支点突起が係止される支点係止部を設けたことを特徴とする。
【０００９】
このレバー嵌合式コネクタにおいて、雌コネクタの嵌合フード部に雄コネクタのコネクタ本体を対向させて挿入し、レバーの支点突起を支点係止部に係止した状態でレバーを支点係止部を中心に回動させると、このレバーの回動によって雄コネクタ本体は嵌合フード部内に押圧挿入される。この場合、レバーによるてこの作用で挿入する際の嵌合荷重が低減される。また、この状態では、嵌合フード部と雄コネクタ本体との間にシール部材が設けられ、防水フード部により嵌合フード部と雄コネクタ本体との嵌合状態が覆われている。
【００１０】
雄コネクタ本体が嵌合フード部内に嵌合している状態から、レバーを上記と逆方向に支点係止部を中心に回動させると、このレバーの回動により雄コネクタ本体が嵌合フード部内から離脱する。この場合も、レバーによるてこの作用によって離脱荷重が低減される。
【００１１】
請求項２の発明は、請求項１記載のレバー嵌合式防水コネクタであって、前記防水フード部の外側面から突出する回動支軸が挿入される長孔状の回動孔を前記レバーに設け、前記レバーに前記防水フード部を貫通して前記雄コネクタ本体側に突出するスライド誘導突起を設け、前記雌コネクタの嵌合フード部に前記スライド誘導突起が当接案内されて前記レバーを嵌合方向と交差する方向へスライドさせるスライド当接用突起を設けたことを特徴とする。
【００１２】
このレバー嵌合式防水コネクタでは、レバーを回動させることにより嵌合フード部内に雄コネクタ本体を挿入・嵌合させると、レバーのスライド誘導突起がスライド当接用突起に案内される。これにより、レバーは嵌合方向と交差する方向へスライドする。このとき、回動支軸は回動孔内を移動する。
【００１３】
請求項３の発明は、請求項１又は請求項２記載のレバー嵌合式防水コネクタであって、前記支点係止部が、前記嵌合フード部への前記雄コネクタ本体の挿入嵌合時に係止する挿入用支点係止突起と、前記嵌合フード部から雄コネクタの離脱時に係止する離脱用支点係止突起とからなることを特徴とする。
【００１４】
このレバー嵌合式防水コネクタでは、雌コネクタの嵌合フード部に雄コネクタのコネクタ本体を対向させて挿入し、レバーの支点突起を挿入用支点係止突起に係止した状態でレバーを支点係止部を中心に回動させると、このレバーの回動によって雄コネクタ本体は嵌合フード部内に押圧挿入される。この状態では、嵌合フード部と雄コネクタ本体との間にシール部材が設けられ、防水フード部により嵌合フード部と雄コネクタ本体との嵌合状態が覆われている。
【００１５】
また、雄コネクタ本体が嵌合フード部内に嵌合している状態から、レバーを上記と逆方向に離脱用支点係止突起を中心に回動させると、このレバーの回動により雄コネクタ本体が嵌合フード部内から離脱される。
【００１６】
請求項４の発明は、請求項１乃至請求項３のいずれか一項に記載のレバー嵌合式防水コネクタであって、前記回動支軸を前記嵌合フード部の全長の中心に対して左右対称位置にそれぞれ設けて、前記レバーを一方の回動支軸に回転自在に支持した第１の取り付け位置と、他方の回動支軸に回転自在に支持した第２の取り付け位置とに選択的に取り付け可能としたことを特徴とする。
【００１７】
このレバー嵌合式防水コネクタでは、レバーを一方の回動支軸に回転自在に支持することにより、第１の取り付け位置に支持することができ、レバーを他方の回動支軸に回転自在に支持することにより、第２の取り付け位置に支持することができる。従って、第１の取り付け位置、第２の取り付け位置にレバーを選択的に取り付けることができる。
【００１８】
請求項５の発明は、請求項１記載のレバー嵌合式防水コネクタであって、前記防水フード部の外側面から回動支軸を前記嵌合フード部の全長に対して左右対称位置にそれぞれ設け、前記回動支軸のいずれか一方が挿入されることによりレバーを防水フード部に回転自在に支持する第１の回動孔と前記回動支軸のいずれか他方が挿入されることによりレバーを嵌合方向と交差する方向へスライドさせるレバースライド機能を備えた第２の回動孔とをレバーに設けたことを特徴とする。
【００１９】
このレバー嵌合式防水コネクタでは、第１の回動孔に一方の回動支軸を挿入することによりレバーは防水フード部に回動自在に支持される。また、第２の回動孔に他方の回動支軸を挿入することによりレバーは嵌合方向と交差する方向へスライドする。
【発明の効果】
【００２０】
請求項１の発明によれば、雄コネクタ本体の外周に嵌合フード部への雄コネクタ本体の嵌合状態で嵌合フード部を覆う防水フード部を設けたことにより、嵌合フード部の内壁と雄コネクタ本体の外周との間が外部から遮断され防水機能が得られる。
【００２１】
また、防水フード部の外周面にレバーを回動自在に設け、レバーの支点突起を防水フード部を貫通して雄コネクタ本体側に突出して設けて雄コネクタの嵌合フード部に設けた支点係止部に係止させたので、コネクタ全体の厚みが厚くなることがなく、小型化を図ることができる。
【００２２】
請求項２の発明によれば、請求項１と同様の効果が得られる他に、レバーを回動操作すると、スライド誘導突起がスライド当接用突起に当接案内されてスライドするので、レバーの回動により雄コネクタ本体を嵌合フード部内にスムーズに嵌合させることができる。また、嵌合フード部内に雄コネクタ本体が嵌合している状態からレバーを回動させると、レバーがスライドすることで雄コネクタ本体を嵌合フード部内から滑らかに離脱することができる。
【００２３】
請求項３の発明によれば、請求項１、２と同様の効果が得られる他に、嵌合フード部内に雄コネクタ本体を嵌合させるときは、挿入用支点係止突起に支点突起が係止して、この挿入用支点係止突起を中心にレバーが回動するので嵌合フード部へ雄コネクタを低挿入力で挿入することができる。また、嵌合フード部に雄コネクタ本体が嵌合している状態から雄コネクタ本体を離脱させる場合には、離脱用支点係止突起にレバーの支点突起が係止して、この離脱用支点係止突起を中心にレバーが回動するので嵌合フード部から雄コネクタを低離脱力で離脱させることができる。このように、レバーがスライドすることにより、より低挿入力、低離脱力化とすることができる。
【００２４】
請求項４の発明によれば、請求項１から３と同様の効果が得られる他に、レバーの取り付け位置を第１、第２の取り付け位置に選択的に設定できるので、例えば雄コネクタの背面側（雌コネクタとの嵌合面と反対側）からの電線の引き出しの際にレバーが邪魔になるのを防止することができる。これにより、電線の引き出し方向に制限がなくなる。また、電線の引き出し方向毎に、雄コネクタ、雌コネクタを新設する必要がなくなるので部品の種類を低減でき、工数、コストを削減することが可能となる。
【００２５】
請求項５の発明によれば、請求項１と同様の効果が得られる他に第２の回動孔に他方の回動支軸を挿入することによりレバーは嵌合方向と交差する方向へスライドするので、レバーの回動により雄コネクタ本体を嵌合フード部内にスムーズに嵌合させることができる。また、嵌合フード部内に雄コネクタ本体が嵌合している状態からレバーを回動させると、レバーがスライドすることで雄コネクタ本体を嵌合フード部内から滑らかに離脱することができる。このようにレバーがスライドすることにより、より低挿入力化、低離脱力化とすることができる。
【００２６】
また、本発明では、第２の回動孔に他方の回動支軸を挿入することにより、レバーをスライドさせることができるので、嵌合フード部の外周面にレバーをスライドさせるための突起等を設ける必要がなくなり、嵌合フード部の外周を簡素化することができる。
【発明を実施するための最良の形態】
【００２７】
以下、本発明の実施形態を図面に基づいて説明する。
【００２８】
＜第１実施形態＞
図１乃至図１０を用いて、本発明に係るレバー嵌合式防水コネクタ（以下単に「コネクタ」という）１の実施形態について説明する。図１はコネクタ１を示す分解斜視図、図２は側面図、図３は雌コネクタ３を示す斜視図、図４は雄コネクタ５を示し、（ａ）は上面図、（ｂ）は（ａ）のａ−ａ線に沿って切断した断面図である。図５はコネクタ１を構成する雄コネクタ５をレバー６が取り付けられた状態で示す斜視図、図６は雄コネクタ５をレバー６が取り付けられた状態で示し（ａ）は側面図、（ｂ）は底面図、（ｃ）は（ａ）のＣ矢視図である。
【００２９】
図１に示すように、コネクタ１は、嵌合フード部２を有する雌コネクタ３と、嵌合フード部２に嵌合される雄コネクタ本体４を有する雄コネクタ５と、雄コネクタ５に回動自在に設けられて回動により雄コネクタ５と雌コネクタ３とを嵌合離脱させるレバー６と、雄コネクタ５と嵌合フード部２との間に設けられてこれらの間をシールするシール部材（図１０（ｂ）、（ｃ）参照）７とを備えている。
【００３０】
また、本実施形態のコネクタ１は、雄コネクタ本体４の外周に嵌合フード部２への雄コネクタ本体４の嵌合状態で嵌合フード部２を覆う防水フード部８が設けられ、この防水フード部８の外周面２６ａ、２６ｂにレバー６が回動自在に設けられ、レバー６に防水フード部８を貫通して雄コネクタ本体４側に突出する支点突起９が設けられ、雌コネクタ３の嵌合フード部２に支点突起９が係止される支点係止部１０が設けられている。
【００３１】
図１乃至図３に示すように、雌コネクタ３は、矩形板状の雌コネクタハウジング１１の一面側から嵌合フード部２が突出して設けられている。嵌合フード部２は、大小２つのフード部２ａ、２ｂから形成され、これらのフード部２ａ、２ｂはそれぞれ独立して設けられている。フード部２ｂの上下面１２ａ、１２ｂには、後述するレバー６の支点突起９が係止される支点係止部１０が設けられている。
【００３２】
支点係止部１０は、フード部２ａ、２ｂ内に雄コネクタ５の雄コネクタ本体４を挿入する際にレバー６の支点突起９が係止する挿入用支点係止突起１３と、フード部２ａ、２ｂ内から雄コネクタ本体４を離脱させる際にレバー６の支点突起９が係止する離脱用支点係止突起１４とで形成されている。挿入用支点係止突起１３は、フード部２ｂの開口端側に臨む平行面１３ａと、雌コネクタハウジング１１側に対向すると共に、フード部２ａ側に向けて登り傾斜の係止斜面１３ｂとが設けられている。
【００３３】
また、離脱用支点係止突起１４は、雌コネクタハウジング１１から嵌合方向に沿って形成された直線部１４ａと、この直線部１４ａに連続して挿入用支点係止突起１３から離れる方向（フード部２ａ側）に向けて略直角に屈曲した屈曲部１４ｂとで形成され、屈曲部１４ａの外側面、すなわち係止斜面１３ｂ側に対向する面が離脱用の係止斜面１４ｃとなっている。
【００３４】
フード部２ａの上下面１５ａ、１５ｂには、後述するレバー６のスライド誘導突起１６が当接案内されるレバースライド用当接突起１７が、略中央部分に設けられている。このレバースライド用当接突起１７は、雌コネクタハウジング１１側からフード部２ａの開口側に向けて設けられた直線部１７ａと、この直線部１７ａに連続してフード部２ａの開口端まで設けられた傾斜部１７ｂとで形成され、傾斜部１７ｂの開口端側には、スライド誘導突起１６を拾い込むための拾い部１７ｃが設けられている。さらに、レバースライド当接用突起１７と略平行に仮係止解除用突起１８が設けられている。この仮係止解除用突起１８は、フード部２ａの上下面１５ａ、１５ｂに対して登り傾斜の拾い斜面１８ａと、一定の高さの保持面１８ｂとが形成されている。また、フード部２ａの外側面１９には、雄コネクタ５との嵌合状態を保持するロック手段のロック突起２１が形成されている。
【００３５】
フード部２ａ、２ｂ内には、図４（ａ）、（ｂ）に示すように、雌コネクタハウジング１１内に収容された雄端子２２、２３の接触部２２ａ、２３ａが突設されており、雄コネクタ５との嵌合状態で、雄コネクタ本体４の端子収容室２９ａ、２９ｂ内に収容されている相手端子（雌端子３０ａ，３０ｂ  図１０（ｂ）、（ｃ）参照）と接続される。
【００３６】
図５及び図６に示すように、雄コネクタ５は、フード部２ａ、２ｂに対応してそれぞれ独立して設けられた大小２つの雄コネクタ本体４ａ、４ｂと、これらの雄コネクタ本体４ａ、４ｂの周囲にそれぞれ設けられた２つの防水フード部８ａ、８ｂとで形成されている。雄コネクタ本体４ａ、４ｂと防水フード部８ａ、８ｂとは、嵌合面（フード部２ａ、２ｂ内への雄コネクタ本体４ａ、４ｂの挿入・嵌合する面）２４と反対側の電線引出面２５側でそれぞれ一体に形成されている。
【００３７】
そして、図６（ｂ）に示すように、雄コネクタ本体４ａ、４ｂの外周面２６ａ、２６ｂと防水フード部８ａ、８ｂの内周面２７ａ、２７ｂとの間には、電線引出面２５側から嵌合面２４側にかけてフード部挿入空間２８ａ、２８ｂが形成されている。これらのフード部挿入空間２８ａ、２８ｂ内には、雌コネクタ３と雄コネクタ５とが嵌合した状態で雌コネクタ３のフード部２ａ、２ｂがそれぞれ挿入可能となっている。また、雄コネクタ本体４ａ、４ｂには、多段に形成された複数の端子収容室２９ａ、２９ｂが設けられており、これらの端子収容室２９ａ、２９ｂ内には、雌端子３０がそれぞれ収容されている。また、雌端子３０にはそれぞれ電線（不図示）端末が接続されており、電線引出面２５から電線が引き出されている。
【００３８】
さらに、雄コネクタ本体４ａ、４ｂの外周面２６ａ、２６ｂには、環状のシール部材７ａ、７ｂ（図１０（ｃ）参照）が嵌め込まれている。これらの環状のシール部材７ａ、７ｂは、フード部２ａ、２ｂ内に雄コネクタ本体４ａ、４ｂが挿入・嵌合されると、フード部２ａ、２ｂの内壁と雄コネクタ本体４ａ、４ｂの外周との間に介在されてフード部２ａ、２ｂの内壁と雄コネクタ本体４ａ、４ｂとの間をシールする。また、フード部２ａ、２ｂと雄コネクタ本体４ａ、４ｂ間がシール部材７ａ、７ｂによってシールされている状態では、防水フード部８ａ、８ｂが雌コネクタ３のフード部２ａ、２ｂの外側を覆っている。
【００３９】
また、防水フード部８ａ、８ｂは、２つの雄コネクタ本体４ａ、４ｂに対応してそれぞれ設けられている。また、防水フード部８ａ、８ｂは連結突起３１によって連結されて一体にされ、一つの雄コネクタ５に形成されている。防水フード部８ａの両側面３２、３２には、窓部３３が設けられ、防水フード部８ｂの両側面３４、３４にも窓部３５が設けられている。また、防水フード部８ｂの側面３２、３２には回動支軸３６、３６が突設されている。この回動支軸３６、３６はレバー６の回動孔４２内に挿入される。また、防水フード部８ｂには、嵌合面２４側から外側外周を通って電線引出面２５側まで略Ｌ字状のレバー先端部保持壁３７が設けられている。
【００４０】
防水フード部８ａには、外側にレバー保持部４３が設けられ、レバー保持部４３の上部角部に仮係止段部３８が設けられている。レバー保持部４３には、後述するレバー６のロックアーム４６が挿入され、仮係止段部３８には、レバー６の仮係止アーム４４が当接し、レバー６が雄コネクタ５に対して仮係止位置に保持される。
【００４１】
レバー６は、一対のレバー側板３９、３９と、これらのレバー側板３９、３９の一側同士を連結すると共に、レバー６の回動時に操作される連結操作部４０とで略コ字型形状に形成されている。一対の側板３９、３９の他側の自由端側には、保持片４１、４１がそれぞれ形成されている。また、保持片４１、４１側に、支点突起９、９が内側（互いに接近する方向）に向けて突設されている。これらの支点突起９、９は、雄コネクタ本体４に回動自在に支持された状態では、防水フード部８ｂの窓部３５を貫通して雄コネクタ本体４ｂ側に突出し、フード部２ｂの挿入用支点係止突起１３、離脱用支点係止突起１４と係止可能となっている。
【００４２】
一対のレバー側板３９、３９の中間部には、長孔状の回動孔４２が形成されている。この回動孔４２内には、上記したように回動支軸３６が挿入され、これによりレバー６が雄コネクタ本体４に回動自在に支持される。さらに、一対のレバー側板３９、３９には、内側に向けてスライド誘導突起１６、１６が設けられている。このスライド誘導突起１６、１６は、レバー６が防水フード部８ｂに回動自在に支持された状態で窓部３３を貫通して雄コネクタ本体４ａ側へ突出し、フード部２ａのレバースライド当接用突起１７に当接案内されるようになっている。また、一対のレバー側板３９、３９には、連結操作部４０側に可撓性の仮係止アーム４４、４４が設けられている。この仮係止アーム４４、４４は、レバー６が雄コネクタ本体４ｂに回動自在に支持された状態で、防水フード部８ａの仮係止段部３８に当接し、雄コネクタ５に対する仮係止位置にレバー６を保持する。
【００４３】
連結操作部４０は、一対のレバー側板３９、３９の一側を連続して連結する連結板４５と、この連結板４５の内側に設けられたロックアーム４６と、一対のレバー側板３９、３９の上端面に設けられた操作面４７、４７とで形成されている。ロックアーム４６は、枠状で上部両側が一対のレバー側板３９、３９の内壁に一体連結され、下部側の中央部分にロック枠部４８が設けられている。また、上記連結板４５は、レバー６が仮係止位置から本係止位置に回動した状態では、防水フード部８ａの外側に位置し、ロックアーム４６はレバー保持部４３内に挿入される。また、ロック枠部４８には、フード部２ａのロック突起２１が係合する。
【００４４】
次に、上記構成のコネクタ１の嵌合手順について説明する。
【００４５】
図１及び図２に示すように、雄コネクタ５と雌コネクタ２とを対向させ、フード部２ａ、２ｂと雄コネクタ本体４ａ、４ｂを対向させる。この状態では、雄コネクタ５に対してレバー６は仮係止位置に保持されている。すなわち、レバー６の仮係止アーム４４、４４が防水フード部８ａの仮係止段部３８に当接している。
【００４６】
次に、図７及び図８に示すように、雄コネクタ本体４ａ、４ｂを嵌合フード部２のフード部２ａ、２ｂ内に仮嵌合させる。この状態では、レバー６は、雄コネクタ５に対して仮係止位置にあり、図７（ｂ）に示すように仮係止解除用突起１８が仮係止アーム４４を外側に押し上げて仮係止状態を解除する。スライド誘導突起１６は、レバースライド用当接突起１７の初期位置に当接している。
【００４７】
この状態からレバー６の連結操作部４０に力Ｆを加えると、レバー６はスライド誘導突起１６がレバースライド用当接突起１７によって案内されて、嵌合方向と交差する方向、すなわち雄コネクタ５の長手方向に案内されて、雄コネクタ本体４ｂ側にスライドする。支点突起９が挿入用支点係止突起１３に係合して、この挿入用支点係止突起１３を支点として回動する。この回動動作により回動支軸３６を介して回動力が雄コネクタ本体４ａ、４ｂに加わり、雄コネクタ本体４ａ、４ｂはフード部２ａ、２ｂ内に挿入される。
【００４８】
そして、図９及び図１０に示すように、レバー６をさらに回動させるとロック枠部４８がフード部２ａのロック突起２１と係合し、雄コネクタ本体４ａ、４ｂがフード部２ａ、２ｂ内に完全に挿入・嵌合され、雄コネクタ５と雌コネクタ３との嵌合が終了する。
【００４９】
次に、図９に示すように、雄コネクタ５と雌コネクタ３とが嵌合している状態から離脱する場合には、ロックアーム４６を撓ませてロック突起２１とロック枠部４８とのロック状態を解除する。ロック突起２１とロック枠部４８とのロックを解除した状態で、レバー６を解除方向（図において反時計方向）に回動させる。レバー６を解除方向に解除させると支点突起９が離脱用支点係止突起１４に係止して、離脱用支点係止突起１４を中心にレバー６が回動する。この回動力が回動支軸３６を介して雄コネクタ本体４ａ、４ｂに加わり、雄コネクタ本体４ａ、４ｂがフード部２ａ、２ｂ内から離脱する。さらに、レバー６を回動させることで、レバー６の仮係止アーム４４が仮係止段部３８に係合してレバー６が仮係止位置に保持され、この状態で雄コネクタ５を雌コネクタ３から離間させることにより雄コネクタ５と雌コネクタ３との嵌合を離脱することができる。
【００５０】
本実施形態のコネクタによれば、雄コネクタ本体４ａ、４ｂの外周にフード部２ａ、２ｂへの雄コネクタ本体４ａ、４ｂの嵌合状態で嵌合フード部２ａ、２ｂを覆う防水フード部８ａ、８ｂを設けたことにより、嵌合フード部２ａ、２ｂの内壁と雄コネクタ本体４ａ、４ｂの外周との間が外部から遮断され防水機能が得られる。
【００５１】
また、防水フード部８ａ、８ｂの外周面にレバー６を回動自在に設け、レバー６の支点突起９を防水フード部８ａ、８ｂを貫通して雄コネクタ本体４ａ、４ｂ側に突出して設けて雄コネクタ５の嵌合フード部２ａ、２ｂに設けた支点係止部１０に係止させたので、コネクタ１全体の厚みが厚くなることがなく、小型化を図ることができる。
【００５２】
すなわち、従来からのレバー嵌合式コネクタにおいて防水機能を持たせる場合、雌コネクタのフード部の外側、雄コネクタ本体の外側（レバーの外側）にそれぞれ防水フード部を設ける必要がある。しかし、本実施形態では、防水フード部８の外側にレバーを回動自在に支持し、このレバーに防水フード部８を貫通して雄コネクタ本体側に突出する支点突起を設け、嵌合フード部の外周側に支点突起が係止される支点係止部を設けた構成とすることにより、従来設ける必要があったレバーの外側を覆うカバー分がなくなる（板２枚分がなくなる）ので小型化が可能となる。
【００５３】
また、レバー６を回動操作すると、スライド誘導突起１６がレバースライド当接用突起１７に当接案内されてスライドするので、レバー６の回動により雄コネクタ本体４ａ、４ｂを嵌合フード部２ａ、２ｂ内にスムーズに嵌合させることができる。また、嵌合フード部２ａ、２ｂ内に雄コネクタ本体４ａ、４ｂが嵌合している状態からレバー６を回動させると、レバー６がスライドすることで雄コネクタ本体４ａ、４ｂを嵌合フード部２ａ、２ｂ内から滑らかに離脱することができる。
【００５４】
さらに、嵌合フード部２ａ、２ｂ内に雄コネクタ本体４ａ、４ｂを嵌合させるときは、挿入用支点係止突起１３に支点突起９が係止して、この挿入用支点係止突起１３を中心にレバーが回動するので、てこの作用で嵌合フード部２へ雄コネクタ５を低挿入力で挿入することができる。また、嵌合フード部２に雄コネクタ本体４ａ、４ｂが嵌合している状態から雄コネクタ本体４ａ、４ｂを離脱させる場合には、離脱用支点係止突起１４にレバー６の支点突起９が係止して、この離脱用支点係止突起１４を中心にレバー６が回動するのでてこの作用で嵌合フード部２ａ、２ｂから雄コネクタ５を低離脱力で離脱させることができる。
【００５５】
＜第２実施形態＞
次に第２実施形態のレバー嵌合式防水コネクタ（以下「コネクタ」という）５１について図１１乃至図１７を用いて説明する。
【００５６】
図１１に示すように、コネクタ５１は、嵌合フード部５２を有する雌コネクタ５３と、嵌合フード部５２に嵌合される雄コネクタ本体５４を有する雄コネクタ５５と、雄コネクタ５５に回動自在に設けられて回動により雄コネクタ５５と雌コネクタ５３とを嵌合離脱させるレバー５６と、雄コネクタ５５と嵌合フード部５２との間に設けられてこれらの間をシールするシール部材（図１５（ｂ）参照）５７とを備えている。
【００５７】
また、本実施形態のコネクタ５１は、雄コネクタ本体５４の外周に嵌合フード部５２への雄コネクタ本体５４の嵌合状態で嵌合フード部５２を覆う防水フード部５８が設けられ、この防水フード部５８の外側面にレバー５６が回動自在に設けられ、レバー５６に防水フード部５８を貫通して雄コネクタ本体５４側に突出する支点突起５９が設けられ、雌コネクタ５３の嵌合フード部５２に支点突起５９が係止される支点係止部６０（６０Ｌ、６０Ｒ）が設けられている。
【００５８】
そして、本実施形態では、嵌合フード部５２の全長Ｌ１の中心ＣＬに対して、レバー５６が係止する部位、すなわち支点係止部６０Ｌ、６０Ｒ、後述するレバースライド用当接突起６７Ｌ、６７Ｒを左右対称に設けて、レバー５６の防水フード部５８への取り付け方向を第１の取り付け位置と、この第１の取り付け位置の逆方向の第２の取り付け位置に取り付け可能としている。
【００５９】
図１１及び図１２に示すように、雌コネクタ５３は、矩形板状の雌コネクタハウジング６１の一面側から嵌合フード部５２が突出して設けられている。嵌合フード部５２は、大小２つのフード部５２ａ、５２ｂから形成され、これらのフード部５２ａ、５２ｂはそれぞれ独立して設けられている。フード部５２ａとフード部５２ｂの上下面６２ａ、６２ｂ、６５ａ、６５ｂには、後述するレバー５６の支点突起５９がそれぞれ係止可能な支点係止部６０Ｌ、６０Ｒが、雌コネクタ５３の全長Ｌ１の中心ＣＬに対して対称位置に設けられている。支点係止部６０Ｌ、６０Ｒは、フード部５２ａ、５２ｂ内に雄コネクタ５５の雄コネクタ本体５４を挿入する際にレバー５６の支点突起５９が係止する挿入用支点係止突起６３Ｌ、６３Ｒと、フード部５２ａ、５２ｂ内から雄コネクタ本体５４を離脱させる際にレバー５６の支点突起５９が係止する離脱用支点係止突起６４Ｌ、６４Ｒとで形成されている。そして、レバー５６が係合する部位である、挿入用支点係止突起６３Ｌと挿入用支点係止突起６３Ｒは、中心ＣＬに対して対称位置（中心ＣＬからの距離Ｌ２が等しい）に設けられ、離脱用支点係止突起６４Ｌ、６４Ｒも中心ＣＬに対して対称位置（中心ＣＬからの距離Ｌ３が等しい）に設けられている。
【００６０】
また、フード部５２ａ、５２ｂの上下面６２ａ、６２ｂ、６５ａ、６５ｂには、後述するレバー５６のスライド誘導突起６６が当接案内されるレバースライド用当接突起６７Ｌ、６７Ｒが設けられている。そして、レバー５６が係合する部位であるこれらのレバースライド用当接突起６７Ｌ、６７Ｒは、中心ＣＬに対して対称位置（中心ＣＬからの距離Ｌ４が等しい）に設けられている。
【００６１】
さらに、フード部５２ａ、５２ｂの両外側には、平板状の外側面６９Ｒ、６９Ｌが形成されている。これらの外側面６９Ｒ、６９Ｌのフード部５２ａ、５２ｂの上下面６２ａ、６２ｂ，６５ａ、６５ｂより突出した部分が、仮係止解除用突起６８Ｌ、６８Ｒとなっている。この仮係止解除用突起６８Ｌ、６８Ｒはその先端部に拾い傾斜面７０Ｌ、７０Ｒがそれぞれ形成されている。また、外側面６９Ｌ、６９Ｒには、雄コネクタ５５との嵌合状態を保持するロック手段のロック突起７１Ｌ、７１Ｒがそれぞれ形成されている。
【００６２】
フード部５２ａ、５２ｂ内には、雌コネクタハウジング６１内に収容された雄端子７２、７３の接触部７２ａ、７３ａが突設されており、雄コネクタ５５との嵌合状態で、雄コネクタ本体５４の端子収容室７９ａ、７９ｂ内に収容されている相手端子と接続される。
【００６３】
雄コネクタ５５は、フード部５２ａ、５２ｂに対応してそれぞれ独立して設けられた大小２つの雄コネクタ本体５４ａ、５４ｂと、これらの雄コネクタ本体５４ａ、５４ｂの周囲にそれぞれ設けられた２つの防水フード部５８ａ、５８ｂとで形成されている。雄コネクタ本体５４ａ、５４ｂと防水フード部５２ａ、５２ｂとは、嵌合面（フード部５２ａ、５２ｂ内への雄コネクタ本体５４ａ、５４ｂの挿入・嵌合する面）７４と反対側の電線引出面７５側で一体に形成されている。そして、雄コネクタ本体５４ａ、５４ｂの外周面７６ａ、７６ｂと防水フード部５８ａ、５８ｂの内周面７７ａ、７７ｂとの間には、電線引出面７５側から嵌合面７４側にかけてフード部挿入空間７８ａ、７８ｂが形成されている。これらのフード部挿入空間７８ａ、７８ｂ内には、雌コネクタ５３と雄コネクタ５５とが嵌合した状態で雌コネクタ５３のフード部５２ａ、５２ｂがそれぞれ挿入可能となっている。また、雄コネクタ本体５４ａ、５４ｂには、多段に形成された複数の端子収容室７９ａ、７９ｂが設けられており、これらの端子収容室７９ａ、７９ｂ内には、雌端子８０がそれぞれ収容されている。また、雌端子８０にはそれぞれ電線（不図示）端末が接続されており、電線引出面７５から電線が引き出されている。
【００６４】
さらに、雄コネクタ本体５４ａ、５４ｂの外周面７６ａ、７６ｂには、環状のシール部材５７ａ、５７ｂ（図１５（ｂ））が嵌め込まれている。これらの環状のシール部材５７ａ、５７ｂは、フード部５２ａ、５２ｂ内に雄コネクタ本体５４ａ、５４ｂが挿入・嵌合されると、フード部５２ａ、５２ｂの内壁と雄コネクタ本体５４ａ、５４ｂの外周との間に介在されてフード部５２ａ、５２ｂの内壁と雄コネクタ本体５４ａ、５４ｂとの間をシールする。また、フード部５２ａ、５２ｂと雄コネクタ本体５４ａ、５４ｂ間がシール部材５７ａ、５７ｂによってシールされている状態では、防水フード部５８ａ、５８ｂが雌コネクタ５３のフード部５２ａ、５２ｂの外側を覆っている。
【００６５】
防水フード部５８ａ、５８ｂは、２つの雄コネクタ本体５４ａ、５４ｂに対応してそれぞれ設けられており、電線引出面７５側でそれぞれ一体に形成されている。また、防水フード部５８ａ、５８ｂは連結突起８１によって連結されて一体にされて、一つの雄コネクタ５５に形成されている。防水フード部５８ａの両側面８２、８２には、窓部８３が設けられ、防水フード部５８ｂの両側面８４、３４にも窓部８５が設けられている。また、防水フード部５８ａ、防水フード部５８ｂの両側面８２、８４には回動支軸８６Ｌ、８６Ｒがそれぞれ突設されている。これらの回動支軸８６Ｌ、８６Ｒは、フード部５２の全長Ｌ１の中心に対して左右対称位置（中心ＣＬからの距離Ｐ１が等しい）に設けられている。これらの回動支軸８６Ｌ、８６Ｒは、レバー５６に設けた回動孔９２、９３内に挿入される。
【００６６】
また、防水フード部５８ａ、５８ｂには、外側の角部に仮係止段部８８Ｌ、８８Ｒが設けられている。この仮係止段部８８Ｌ、８８Ｒには、レバー５６の仮係止アーム９４が当接し、レバー５６が雄コネクタ５５に対して仮係止位置に保持される。また、防水フード部５８ａ、５８ｂの両側部には、レバー保持部９９、９９がそれぞれ設けられている。このレバー保持部９９、９９内には、レバー５６が第１の取り付け位置、第２の取り付け位置で取り付けられた状態で、連結操作部９０のロックアーム９６がそれぞれ挿入される。
【００６７】
レバー５６は、一対のレバー側板８９、８９と、これらのレバー側板８９、８９の一側同士を連結すると共に、レバー５６の回動時に操作される連結操作部９０と、一対の側板８９、８９の先端側を連結する連結補強部９１とで形成されている。一対の側板８９、８９の中間部には、回動孔９２、９３が設けられている。回動孔９２は、直線的な長孔状に形成され、回動孔９３は、回動孔９２より長い屈曲した長孔状に形成されている。
【００６８】
そして、図１６（ａ）に示すように、レバー５６を雄コネクタ５５に対して、回動孔９２内に回動支軸８６Ｒを挿入し、回動孔９３に回動支軸８６Ｌを挿入した第１の取り付け位置に対して、図１６（ｂ）に示すように、回動孔９２内に回動支軸８６Ｌを挿入し、回動孔９３に回動支軸８６Ｒを挿入した第２の取り付け位置の２つの取り付け方ができる。これらの第１、第２の取り付け位置では、雄コネクタ本体５４ａ側にレバー５６の連結操作部９０が位置した取り付け位置に対して、雄コネクタ本体５４ｂ側にレバー５６の連結操作部９０が位置する取り付け位置は逆方向の取り付け位置となっている。
【００６９】
また、一対の側板８９、８９には、一対の側板８９、８９の連結補強部９１側に、支点突起５９、５９が内側（互いに接近する方向）に向けて突設されている。これらの支点突起５９、５９は、雄コネクタ本体５４に回動自在に支持された状態では、防水フード部５８ａの窓部８３を貫通して雄コネクタ本体５４ａ側へ突出し、また、防水フード部５８ｂの窓部８５を貫通して雄コネクタ本体５４ｂ側へ突出し、フード部２ａの挿入用支点係止突起６３Ｌ、離脱用支点係止突起６４Ｌ、防水フード部５８ａの挿入用支点係止突起６３Ｒ、離脱用支点係止突起６４Ｒと係止可能となっている。
【００７０】
さらに、一対のレバー側板８９、８９には、内側に向けてスライド誘導突起６６、６６が設けられている。このスライド誘導突起６６、６６は、レバー５６が防水フード部５８ｂに回動自在に支持された状態で窓部８３を貫通して雄コネクタ本体５４ａ側へ突出し、フード部５２ａのレバースライド当接用突起６７Ｌに当接案内されるようになっている。また、レバー５６が防水フード部５８ａに回動自在に支持された状態で窓部８５を貫通し雄コネクタ本体５４ｂ側へ突出し、フード部５２ｂのレバースライド当接用突起６７Ｒに当接案内されるようになっている。
【００７１】
また、一対のレバー側板８９、８９には、連結操作部９０側に仮係止アーム９４、９４が設けられている。この仮係止アーム９４、９４は、レバー５６が雄コネクタ本体５４ｂに回動自在に支持された状態で、防水フード部５８ａの仮係止段部８８（８８Ｒ、８８Ｌ）に当接することで雄コネクタ５５に対する仮係止位置に保持される。
【００７２】
連結操作部９０は、一対のレバー側板８９、８９の一側を連続して連結する連結板９５と、この連結板９５の内側に設けられたロックアーム９６と、一対のレバー側板８９、８９の上端面に設けられた操作面９７、９７とで形成されている。ロックアーム９６は、枠状で上部両側が一対のレバー側板８９、８９の内壁に一体連結され、下部側の中央部分にロック枠部９８が設けられている。また、上記連結板９５は、レバー５６が仮係止位置から本係止位置に回動した状態では、防水フード部５８ａの外側に位置し、ロックアーム９６はフード部５２ａと防水フード部５８ａとの間に挿入される。また、ロック枠部９８には、フード部５２ａのロック突起７１Ｌが係合する。また、逆方向位置にレバー５６が取り付けられた場合には、フード部５２ｂのロック突起７１Ｒが係合する。
【００７３】
次に、本実施形態の作用について説明する。
【００７４】
図１６（ａ）に示すように、レバー５６を第１の取り付け位置に取り付ける場合には、雄コネクタ本体５４ｂの回動支軸８６Ｒを回動孔９２内に挿入し、回動支軸８６Ｌを回動孔９３に挿入する。この状態では支点突起５９は、防水フード部５８ｂの窓部８５を貫通して雄コネクタ本体５４ｂ側へ突出している。また、仮係止アーム９４は、防水フード部５８ａの仮係止段部８８に係止される。
【００７５】
また、図１６（ｂ）に示すように、レバー５６を第２の取り付け位置に取り付ける場合には、雄コネクタ本体５４ａの回動支軸８６Ｌを回動孔９２内に挿入し、回動支軸８６Ｒを回動孔９３内に挿入する。この状態では、支点突起５９は、防水フード部５８ａの窓部８３を貫通して雄コネクタ本体５４ａ側へ突出している。また、仮係止アーム９４は、防水フード部５８ｂの仮係止段部８８に係止される。
【００７６】
レバー５６を第１の取り付け位置に取り付けた状態で雄コネクタ５５を雌コネクタ５３へ取り付けるには、図１７（ａ）に示すように、雄コネクタ５５と雌コネクタ５３とを対向させ、フード部５２ａ、５２ｂと雄コネクタ本体５４ａ、５４ｂを対向させる。この状態では、雄コネクタ５５に対してレバー５６は仮係止位置に保持されている。すなわち、レバー５６の仮係止アーム９４、９４が防水フード部５８ａの仮係止段部８８Ｌに当接している。
【００７７】
次に、図１７（ｂ）に示すように、雄コネクタ本体５４ａ、５４ｂを嵌合フード部５２のフード部５２ａ、５２ｂ内に仮嵌合させる。この状態では、レバー５６は、雄コネクタ５５に対して仮係止位置にあり、仮係止解除用突起６８が仮係止アーム９４を外側に押し上げて仮係止状態を解除する。スライド誘導突起６６は、レバースライド用当接突起６７の初期位置に当接している。
【００７８】
この状態からレバー５６の連結操作部９０に力を加えると、レバー５６はスライド誘導突起６６がレバースライド用当接突起６７によって案内されて、嵌合方向と交差する方向、すなわち雄コネクタ５５の長手方向に案内されて、雄コネクタ本体５４ｂ側にスライドする。支点突起５９が挿入用支点係止突起６３に係合して、この挿入用支点係止突起６３を支点として回動する。この回動動作により回動支軸８６Ｒを介して回動力が雄コネクタ本体５４ａ、５４ｂに加わり、雄コネクタ本体５４ａ、５４ｂはフード部５２ａ、５２ｂ内に挿入される。
【００７９】
そして、図１７（ｃ）に示すように、レバー５６をさらに回動させるとロック枠部９８がフード部５２ａのロック突起７１と係合し、雄コネクタ本体５４ａ、５４ｂがフード部５２ａ、５２ｂ内に完全に挿入・嵌合され、雄コネクタ５５と雌コネクタ５３との嵌合が終了する。
【００８０】
次に、雄コネクタ５５と雌コネクタ５３とが嵌合している状態から離脱する場合には、ロックアーム９６を撓ませてロック突起７１とロック枠部９８とのロック状態を解除する。ロック突起７１とロック枠部９８とのロックを解除した状態で、レバー５６を解除方向（図において反時計方向）に回動させる。レバー５６を解除方向に解除させると支点突起５９が離脱用支点係止突起６４Ｒに係止して、離脱用支点係止突起６４Ｒを中心にレバー５６が回動する。この回動力が回動支軸８６Ｒを介して雄コネクタ本体５４ａ、５４ｂに加わり、雄コネクタ本体５４ａ、５４ｂがフード部５２ａ、５２ｂ内から離脱する。さらに、レバー５６を回動させることで、レバー５６の仮係止アーム９４が仮係止段部８８Ｌに係合してレバー５６が仮係止位置に保持され、この状態で雄コネクタ５５を雌コネクタ５３から離間させることにより雄コネクタ５５と雌コネクタ５３との嵌合を離脱することができる。
【００８１】
本実施形態のコネクタ５１によれば、上記した第１実施形態と同様の作用効果が得られる他に、レバー５６の取り付けを第１の取り付け位置と、この第１の取り付け位置と逆方向の第２の取り付け位置に変更することができるので、例えば雄コネクタ５５の背面側（雌コネクタとの嵌合面と反対側）の電線引出面７５からの電線の引き出しの際にレバー５６が邪魔になるのを防止することができる。これにより、電線の引き出し方向に制限がなくなる。また、電線の引き出し方向毎に、雄コネクタ、雌コネクタを新設する必要がなくなるので部品の種類を低減でき、工数、コストを削減することが可能となる。
【００８２】
＜第３実施形態＞
次に第３実施形態について図１８至図３１を用いて説明する。
【００８３】
図１８に示すように、コネクタ１０１は、嵌合フード部１０２を有する雌コネクタ１０３と、嵌合フード部１０２に嵌合される雄コネクタ本体１０４を有する雄コネクタ１０５と、雄コネクタ１０５に回動自在に設けられて回動により雄コネクタ１０５と雌コネクタ１０３とを嵌合離脱させるレバー１０６と、雄コネクタ１０５と嵌合フード部１０２との間に設けられてこれらの間をシールするシール部材（不図示）とを備えている。
【００８４】
また、本実施形態のコネクタ１０１は、雄コネクタ本体１０４の外周に嵌合フード部１０２への雄コネクタ本体１０４の嵌合状態で嵌合フード部１０２を覆う防水フード部１０８が設けられ、この防水フード部１０８の外側面にレバー１０６が回動自在に設けられ、レバー１０６に防水フード部１０８を貫通して雄コネクタ本体１０４側に突出する支点突起１０９が設けられ、雌コネクタ１０３の嵌合フード部１０２に支点突起１０９が係止される支点係止部１１０Ｌ、Ｒが設けられている。
【００８５】
そして、本実施形態では、嵌合フード部１０２の全長Ｌ５の中心ＣＬに対して、レバー１０６が係止する部位、すなわち支点係止部１１０Ｒ、１１０Ｌを左右対称に設けて、レバー１０６の防水フード部１０８への取り付け方向を第１の取り付け位置とその逆方向の第２の取り付け位置に取り付け可能としている。
【００８６】
さらに、本実施形態では、上述した第１、第２実施形態と異なって、嵌合フード部１０２は一つであり、この嵌合フード部１０２内に嵌合される雄コネクタ本体１０４も一つであり、回動支軸１３５、１３６を嵌合フード部１０２の全長Ｌ５の中心ＣＬに対して左右対称位置にそれぞれ設け、レバー１０６が係止する部位、すなわち、挿入用支点係止突起１１３Ｌ、１１３Ｒ、離脱用支点係止突起１１４Ｌ、１１４Ｒを嵌合フード部１０２の全長Ｌ５の中心ＣＬに対して左右対称位置にそれぞれ設けて、レバー１０６を一方の回動支軸１３５に回転自在に支持した第１の取り付け位置と、他方の回動支軸１３６に回転自在に支持した第２の取り付け位置とに選択的に取り付け可能となっている。
【００８７】
さらに、本実施形態では、回動支軸１３５、１３６のいずれか一方が挿入されることによりレバー１０６を防水フード部１０８に回転自在に支持する第１の回動孔１４１と回動支軸１３５、１３６のいずれか他方が挿入されることによりレバー１０６を嵌合方向と交差する方向へスライドさせるレバースライド機能を備えた第２の回動孔１４２とがレバー１０６に設けられている。
【００８８】
図１８及び図１９に示すように、雌コネクタ１０３は、矩形板状の雌コネクタハウジング１１１の一面側から嵌合フード部１０２が突出して設けられている。嵌合フード部１０２は、１つのフード部１０２ａから形成されている。フード部１０２ａの上下面１１２ａ、１１２ｂには、後述するレバー１０６の支点突起１０９が係止される支点係止部１１０Ｌ、１１０Ｒが設けられている。支点係止部１１０Ｌ、１１０Ｒは、フード部１０２ａ内に雄コネクタ１０５の雄コネクタ本体１０４を挿入する際にレバー１０６の支点突起１０９が係止する挿入用支点係止突起１１３Ｌ、１１３Ｒと、フード部１０２ａ内から雄コネクタ本体１０４を離脱させる際にレバー１０６の支点突起１０９が係止する離脱用支点係止突起１１４Ｌ、１１４Ｒとで形成されている。挿入用支点係止部１１３Ｌ、１１３Ｒは中心ＣＬからの距離Ｌ６が等しく、中心ＣＬに対して左右対称位置にそれぞれ設けられている。また、離脱用支点係止突起１１４Ｌ、１１４Ｒは中心からの距離Ｌ７が等しく、中心ＣＬに対して左右対称位置にそれぞれ設けられている。
【００８９】
また、フード部２ａの外側面１１９、１１９には、雄コネクタ５との嵌合状態を保持するロック手段のロック突起１２１、１２１が形成されている。そして、雌コネクタハウジング１１１内に収容された雄端子１２２、１２３の接触部１２２ａ、１２３ａがフード部１０２ａ内に突設されており、雄コネクタ１０５との嵌合状態で、雄コネクタ本体１０４の端子収容室１２９ａ、１２９ｂ内に収容されている相手端子（雌端子  不図示）と接続される。
【００９０】
雄コネクタ１０５は、フード部１０２ａに対応した雄コネクタ本体１０４と、この雄コネクタ本体１０４の周囲に設けられた防水フード部１０８とで形成されている。雄コネクタ本体１０４と防水フード部１０８とは、嵌合面（フード部１０２ａ内への雄コネクタ本体１０４を挿入・嵌合する面）１２４と反対側の電線引出面１２５側で一体に形成されている。そして、雄コネクタ本体１０４の外周面１２６と防水フード部１０８の内周面１２７との間には、電線引出面１２５側から嵌合面１２４側にかけてフード部挿入空間１２８が形成されている。これらのフード部挿入空間１２８内には、雌コネクタ１０３と雄コネクタ１０５とが嵌合した状態で雌コネクタ１０３のフード部１０２ａが挿入可能となっている。また、雄コネクタ本体１０４には、多段に形成された複数の端子収容室１２９ａ、１２９ｂが設けられており、これらの端子収容室１２９ａ、１２９ｂ内には、雌端子（不図示）がそれぞれ収容されている。また、雌端子にはそれぞれ電線（不図示）端末が接続されており、電線引出面１２５から電線が引き出されている。
【００９１】
さらに、雄コネクタ本体１０４の外周面１２６には、環状のシール部材（不図示）が嵌め込まれている。この環状のシール部材は、フード部１０２ａ内に雄コネクタ本体１０４が挿入・嵌合されると、フード部１０２ａの内壁と雄コネクタ本体１０４の外周との間に介在されてフード部１０２ａの内壁と雄コネクタ本体１０４との間をシールする。また、フード部１０２ａと雄コネクタ本体１０４間がシール部材１０７によってシールされている状態では、防水フード部１０８が雌コネクタ１０３のフード部１０２ａの外側を覆っている。
【００９２】
防水フード部１０８の両側面１３２には、窓部１３３、１３４が設けられている。また、防水フード部１０８の側面１３２には回動支軸１３５、１３６が突設されている。この回動支軸１３５、１３６はレバー１０６の回動孔１４１、あるいは１４２内に挿入される。また、防水フード部１０８には、外側の両角部に仮係止段部１３８、１３８が設けられている。この仮係止段部１３８には、レバー１０６の仮係止アーム１４４が当接し、レバー１０６が雄コネクタ１０５に対して仮係止位置に保持される。
【００９３】
レバー１０６は、一対のレバー側板１３９、１３９と、これらのレバー側板１３９、１３９の一側同士を連結すると共に、レバー１０６の回動時に操作される連結操作部１４０と、レバー側板１３９、１３９の自由端側を連結する連結補強部１４９とで形成されている。
【００９４】
一対の側板１３９、１３９には、支点突起１０９、１０９が内側（互いに接近する方向）に向けて突設されている。これらの支点突起１０９、１０９は、雄コネクタ本体１０４に回動自在に支持された状態では、防水フード部１０８の窓部１３３を貫通して雄コネクタ本体１０４側に突出し、フード部１０２の挿入用支点係止突起１１３Ｒ、離脱用支点係止突起１１４Ｒと係止可能となっている。
【００９５】
また、一対のレバー側板１３９、１３９の中間部には、長孔状の第１の回動孔１４１と、この第１の回動孔１４１より長い第２の回動孔１４２が形成されている。これらの第１、第２の回動孔１４１、１４２内には、回動支軸１３５、１３６が挿入され、これによりレバー１０６が雄コネクタ本体１０４に回動自在に支持される。この場合、第２の回動孔１４２が第１の回動孔１４１より長く形成されているのは、回転支軸１３６が挿入される際の逃げ部分を設けたためである。
【００９６】
また、一対のレバー側板１３９、１３９には、連結操作部１４０側に仮係止アーム１４４、１４４が設けられている。この仮係止アーム１４４、１４４は、レバー１０６が雄コネクタ本体１０４に回動自在に支持された状態で、防水フード部１０８の仮係止段部１３８に当接することで雄コネクタ１０５に対する仮係止位置に保持される。
【００９７】
連結操作部１４０は、一対のレバー側板１３９、１３９の一側を連続して連結する連結板１４５と、この連結板１４５の内側に設けられたロックアーム１４６と、一対のレバー側板１３９、１３９の上端面に設けられた操作面１４７、１４７とで形成されている。ロックアーム１４６は、枠状で上部両側が一対のレバー側板１３９、１３９の内壁に一体連結され、下部側の中央部分にロック枠部１４８が設けられている。また、上記連結板１４５は、レバー１０６が仮係止位置から本係止位置に回動した状態では、防水フード部１０８の外側に位置し、ロックアーム１４６はフード部１０２と防水フード部１０８との間に挿入される。また、ロック枠部１４８には、フード部１０２のロック突起１２１が係合する。
【００９８】
図２２に示すように、レバー１０６を第１の取り付け位置に取り付ける場合には、雄コネクタ本体１０４の回動支軸１３５を回動孔１４１内に挿入し、回動支軸１３６を回動孔１４２に挿入する。この状態では支点突起１０９は、防水フード部１０８の窓部１３３を貫通して雄コネクタ本体１０４側へ突出している。また、仮係止アーム１４４は、防水フード部１０８の仮係止段部１３８に係止される。
【００９９】
また、レバー１０６を第２の取り付け位置に取り付ける場合には、雄コネクタ本体１０４の回動支軸１３６を回動孔１４１内に挿入し、回動支軸１３５を回動孔１４２内に挿入する。この状態では、支点突起１０９は、防水フード部１０８の窓部１３４を貫通して雄コネクタ本体１０４側へ突出している。また、仮係止アーム１４４は、防水フード部１０８の仮係止段部１３８に係止される。
【０１００】
次に、図２２に示す、レバー１０６を第１の取り付け位置に取り付けた状態で雌コネクタ１０３と雄コネクタ１０５とを嵌合させるには、雄コネクタ１０５と雌コネクタ１０２とを対向させ、フード部１０２ａと雄コネクタ本体１０４を対向させる。この状態では、雄コネクタ１０５に対してレバー１０６は仮係止位置に保持されている。すなわち、レバー１０６の仮係止アーム１４４、１４４が防水フード部１０８の仮係止段部１３８に当接している。
【０１０１】
次に、図２６及び図２７に示すように、雄コネクタ本体１０４を嵌合フード部１０２のフード部１０２ａ内に仮嵌合させる。この状態では、レバー１０６は、雄コネクタ１０５に対して仮係止位置にあり、仮係止解除用突起１１８が仮係止アーム１４４を外側に押し上げて仮係止状態を解除する。
【０１０２】
この状態からレバー１０６の連結操作部１４０に力Ｆを加えると、レバー１０６は回動支軸１３６が回動孔１４２内で案内されることにより、嵌合方向と交差する方向、すなわち雄コネクタ１０５の長手方向に案内されて、雄コネクタ本体１０４側にスライドする。支点突起１０９が挿入用支点係止突起１１３Ｒに係合して、この挿入用支点係止突起１１３Ｒを支点として回動する。この回動動作により回動支軸１３５を介して回動力が雄コネクタ本体１０４に加わり、雄コネクタ本体１０４はフード部１０２ａ内に挿入される。
【０１０３】
そして、図３０及び図３１に示すように、レバー１０６をさらに回動させるとロック枠部１４８がフード部１０２ａのロック突起１２１と係合し、雄コネクタ本体１０４がフード部１０２ａ内に完全に挿入・嵌合され、雄コネクタ１０５と雌コネクタ１０３との嵌合が終了する。
【０１０４】
次に、図３０及び図３１に示すように、雄コネクタ１０５と雌コネクタ１０３とが嵌合している状態から離脱する場合には、ロックアーム１４６を撓ませてロック突起１２１とロック枠部１４８とのロック状態を解除する。ロック突起１２１とロック枠部１４８とのロックを解除した状態で、レバー１０６を解除方向（図において反時計方向）に回動させる。レバー１０６を解除方向に解除させると支点突起１０９が離脱用支点係止突起１１４Ｒに係止して、離脱用支点係止突起１１４Ｒを中心にレバー１０６が回動する。この回動力が回動支軸１３５を介して雄コネクタ本体１０４に加わり、雄コネクタ本体１０４がフード部１０２内から離脱する。さらに、レバー１０６を回動させることで、レバー１０６の仮係止アーム１４４が仮係止段部１３８に係合してレバー１０６が仮係止位置に保持され、この状態で雄コネクタ１０５を雌コネクタ１０３から離間させることにより雄コネクタ１０５と雌コネクタ１０３との嵌合を離脱することができる。
【０１０５】
本実施形態のコネクタ１０１によれば、上記した第１実施形態、第２実施形態と同様の作用効果が得られる他に、レバー１０６の取り付けを第１の取り付け位置と、この第１の取り付け位置と逆方向の第２の取り付け位置に変更することができるので、例えば雄コネクタ１０５の背面側（雌コネクタとの嵌合面と反対側）の電線引出面１２５からの電線の引き出しの際にレバー１０６が邪魔になるのを防止することができる。これにより、電線の引き出し方向に制限がなくなる。また、電線の引き出し方向毎に、雄コネクタ、雌コネクタを新設する必要がなくなるので部品の種類を低減でき、工数、コストを削減することが可能となる。
【０１０６】
また、本実施形態では、第２の回動孔１４２に他方の回動支軸１３５あるいは回動支軸１３６を挿入することによりレバー１０６は嵌合方向と交差する方向へスライドするので、レバー１０６の回動により雄コネクタ本体１０４を嵌合フード部１０２内にスムーズに嵌合させることができる。また、嵌合フード部１０２内に雄コネクタ本体１０４が嵌合している状態からレバー１０６を回動させると、レバー１０６がスライドすることで雄コネクタ本体１０４を嵌合フード部１０６内から滑らかに離脱することができる。
【０１０７】
さらに、第２の回動孔１４２に他方の回転支軸１３５あるいは回動支軸１３６を挿入してレバーをスライドさせる構成としたことにより、嵌合フード部１０２の外側面にスライドさせるための突起等を設ける必要がなくなり、嵌合フード部１０２の外側面を簡素化することができる。
【０１０８】
また、嵌合フード部１０２の外側面を簡素化することができるので、ひけ、ボイドの発生を抑制することができ、嵌合フード部１０２の開口寸法の精度を向上することができる。
【０１０９】
なお、本実施形態では、一つの嵌合フード部１０２と、これに嵌合する一つの雄コネクタ本体１０５の外側面に回動支軸１３５、１３６を設け、第１の回動孔１４１、第２の回動孔１４２内に挿入する構成としたが、複数の嵌合フード部と、これらの嵌合フード部内に嵌合される複数の雄コネクタ本体からなるコネクタについても、同様の構成を適用することができる。
【図面の簡単な説明】
【０１１０】
【図１】本発明に係るレバー嵌合式防水コネクタの第１実施形態を示す斜視図である。
【図２】第１実施形態のレバー嵌合式防水コネクタを示す側面図である。
【図３】第１実施形態の雌コネクタを示す斜視図である。
【図４】第１実施形態の雌コネクタを示し、（ａ）は平面図、（ｂ）は（ａ）のIVｂ−IVｂ線に沿って切断した断面図である。
【図５】第１実施形態の雄コネクタと、雄コネクタに組み付けられたレバーを示す斜視図である。
【図６】第１実施形態の雄コネクタを示し、（ａ）は側面図、（ｂ）は平面図、（ｃ）は（ａ）のＣ方向から見た矢視図である。
【図７】第１実施形態のレバー嵌合式防水コネクタを示し、（ａ）は雄コネクタと雌コネクタとを仮係止位置に嵌合した状態を示す斜視図、（ｂ）は仮係止アームと仮係止解除用突起との関係を示す拡大斜視図、（ｃ）はスライド誘導突起とレバースライド用当接突起との関係を示す拡大斜視図である。
【図８】第１実施形態のレバー嵌合式防水コネクタを示し雄コネクタと雌コネクタとを仮係止位置に嵌合した状態を示す側面図である。
【図９】第１実施形態のレバー嵌合式防水コネクタを示し雄コネクタと雌コネクタとを完全に嵌合した状態を示す斜視図である。
【図１０】第１実施形態のレバー嵌合式コネクタを示し（ａ）は雄コネクタと雌コネクタとを完全に嵌合した状態を示す側面図、（ｂ）は（ａ）のＸｂ−Ｘｂ線に沿って切断した断面図、（ｃ）は（ａ）のＸｃ−Ｘｃ線に沿って切断した断面図である。
【図１１】第２実施形態のレバー嵌合式防水コネクタを示す側面図である。
【図１２】第２実施形態の雌コネクタを示す斜視図である。
【図１３】第２実施形態の雌コネクタを示し、（ａ）は平面図、（ｂ）は（ａ）のXIIIｂ-XIIIｂ線に沿って切断した断面図である。
【図１４】第２実施形態の雄コネクタと、この雄コネクタに組み付けられるレバーを示す斜視図である。
【図１５】第２実施形態の雄コネクタを示し、（ａ）は平面図、（ｂ）は（ａ）のXVｂ−XVｂ線に沿って切断した断面図である。
【図１６】第２実施形態の雄コネクタを示し、（ａ）は第１の取り付け位置にレバーを取り付けた状態を示す斜視図、（ｂ）は第２の取り付け位置にレバーを取り付けた状態を示す斜視図である。
【図１７】第２実施形態のレバー嵌合式防水コネクタにおいて、（ａ）は雄コネクタと雌コネクタとを嵌合させる前の状態を示す側面図、（ｂ）は雄コネクタを雌コネクタに対して仮係止位置に嵌合させた状態を示す側面図、（ｃ）は雄コネクタと雌コネクタとを完全に嵌合した状態を示す側面図である。
【図１８】第３実施形態のレバー嵌合式防水コネクタを示す側面図である。
【図１９】第３実施形態のレバー嵌合式防水コネクタの雌コネクタを示す斜視図である。
【図２０】第３実施形態の雌コネクタを示し、（ａ）は平面図、（ｂ）は（ａ）のXXｂ−XXｂ線に沿って切断した断面図である。
【図２１】第３実施形態の雄コネクタを示す平面図である。
【図２２】第３実施形態の雄コネクタと雄コネクタに組み付けられたレバーを示す斜視図である。
【図２３】第３実施形態の雄コネクタとレバーとの関係を示す斜視図である。
【図２４】第３実施形態のレバー嵌合式防水コネクタにおいて雄コネクタと雌コネクタとを嵌合する前の状態を示す側面図である。
【図２５】第３実施形態のレバー嵌合式防水コネクタにおいて雄コネクタと雌コネクタとを嵌合する前の状態を示す斜視図である。
【図２６】第３実施形態のレバー嵌合式防水コネクタにおいて雄コネクタを雌コネクタに対して仮係止位置に嵌合した状態を示す側面図である。
【図２７】第３実施形態のレバー嵌合式防水コネクタにおいて雄コネクタを雌コネクタに対して仮係止位置に嵌合した状態を示す斜視図である。
【図２８】第３実施形態のレバー嵌合式防水コネクタにおいて雄コネクタを雌コネクタに対して仮係止位置に嵌合した状態からレバーを回動させた状態を示す側面図である。
【図２９】第３実施形態のレバー嵌合式防水コネクタにおいて雄コネクタを雌コネクタに対して仮係止位置に嵌合した状態からレバーを回動させた状態を示す斜視図である。
【図３０】第３実施形態のレバー嵌合式防水コネクタにおいて雄コネクタを雌コネクタに完全に嵌合した状態を示す側面図である。
【図３１】第３実施形態のレバー嵌合式防水コネクタにおいて雄コネクタを雌コネクタに完全に嵌合した状態を示す斜視図である。
【符号の説明】
【０１１１】
１、５１、１０１  レバー嵌合式防水コネクタ
２、５２、１０２  嵌合フード部
３、５３、１０３  雌コネクタ
４、５４、１０４  雄コネクタ本体
５、５５、１０５  雄コネクタ
６、５６、１０６  レバー
７、５７、１０７  シール部材
８、５８、１０８  防水フード部
９、５９、１０９  支点突起
１０、６０、１１０  支点係止部
【図１】
2005122942.tif 000003
【図２】
2005122942.tif 000004
【図３】
2005122942.tif 000005
【図４】
2005122942.tif 000006
【図５】
2005122942.tif 000007
【図６】
2005122942.tif 000008
【図７】
2005122942.tif 000009
【図８】
2005122942.tif 000010
【図９】
2005122942.tif 000011
【図１０】
2005122942.tif 000012
【図１１】
2005122942.tif 000013
【図１２】
2005122942.tif 000014
【図１３】
2005122942.tif 000015
【図１４】
2005122942.tif 000016
【図１５】
2005122942.tif 000017
【図１６】
2005122942.tif 000018
【図１７】
2005122942.tif 000019
【図１８】
2005122942.tif 000020
【図１９】
2005122942.tif 000021
【図２０】
2005122942.tif 000022
【図２１】
2005122942.tif 000023
【図２２】
2005122942.tif 000024
【図２３】
2005122942.tif 000025
【図２４】
2005122942.tif 000026
【図２５】
2005122942.tif 000027
【図２６】
2005122942.tif 000028
【図２７】
2005122942.tif 000029
【図２８】
2005122942.tif 000030
【図２９】
2005122942.tif 000031
【図３０】
2005122942.tif 000032
【図３１】
2005122942.tif 000033